(57)【要約】【課題】外部からの引っ張り力が作用しても、車体パネルの取付孔から抜け出ることのないクリップとこれを備えた自動車車両を提供する。【解決手段】クリップ３は、車体パネル１１に形成された車体側取付孔を挿通する被取付部３２と、被取付部３２に形成される一対の突出部３７と、被取付部３２の各突出部３７の間に形成される凹部３８と、を備え、凹部３８は、車体パネル１１に略垂直な方向へ延びるよう形成され、一端側に形成され被取付部３２の外面から内側へ傾斜して延在方向他端側へ向かって延びる傾斜面３８ａと、他端側に形成され被取付部３２の外面から延在方向と略垂直な方向へ延びる車体パネル受け面３８ｂと、を有する。【選択図】図３
2018013147.tif 000002
【特許請求の範囲】
【請求項１】
車載部材を車体パネルに固定するためのクリップであって、
前記車載部材を保持する保持部と、前記車体パネルに形成された取付孔を挿通し前記車体パネルと略垂直な方向へ延びる被取付部と、が一体に成形されたクリップ本体と、
前記被取付部における前記車体パネルの前記車載部材と反対の面側に形成され、前記車体パネルの平面視にて前記取付孔の外側まで突出する一対の突出部と、
前記被取付部における前記車体パネルの前記車載部材と反対の面側に形成され、前記平面視で周方向について前記各突出部の間に形成される少なくとも一つの凹部と、を備え、
前記凹部は、
一端が前記車体パネル側、他端が前記車体パネルと反対側となるように前記車体パネルに略垂直な方向へ延びるよう形成されるとともに、
延在方向一端側に形成され、前記被取付部の外面から当該被取付部の内側へ傾斜して延在方向他端側へ向かって延びる傾斜面と、
延在方向他端側に形成され、前記被取付部の外面から当該被取付部の内側へ向かって前記延在方向と略垂直な方向へ延びる車体パネル受け面と、を有するクリップ。
【請求項２】
前記凹部は、前記平面視にて、前記各突出部を結んだ仮想基準線の中点から当該仮想基準線に対して略垂直な方向に配置される請求項１に記載のクリップ。
【請求項３】
前記凹部は、前記傾斜面と前記車体パネル受け面の間に形成され、延在方向へ延びる内面を有する請求項２に記載のクリップ。
【請求項４】
前記被取付部は、筒状に形成され、
前記クリップ本体は、前記被取付部の前記凹部の周方向両側に隣接して延在方向へ延びるスリットを有し、
前記凹部の前記内面の延在方向他端側は、前記傾斜面よりも幅方向寸法が小さく形成され、所定の引っ張り応力にて破断する請求項３に記載のクリップ。
【請求項５】
前記凹部の前記内面は、
延在方向他端側へ向かって幅方向寸法が小さくなる寸法変化部と、
前記寸法変化部の延在方向他端及び前記車体パネル受け面の内側方向端部と連続的に形成され、幅方向寸法が前記凹部の中で最も小さく、前記所定の引っ張り応力にて破断する脆弱部と、を有する請求項４に記載のクリップ。
【請求項６】
前記クリップ本体の前記保持部の接続部分から、前記車載部材の所定部分まで延びる紐状のテザー部を備え、
前記保持部の前記接続部分は、前記平面視にて前記仮想基準線で分割された領域のうち、前記凹部と同じ領域に配置される請求項５に記載のクリップ。
【請求項７】
請求項１から６のいずれか１項に記載のクリップと、
前記クリップの前記保持部により保持される車載部材と、
前記クリップの前記被取付部が取り付けられる車体パネルと、を備えた自動車車両。
【請求項８】
前記車載部材は内装材であり、
前記車載部材と前記車体パネルの間に配置されたエアバッグ装置を備えた請求項７に記載の自動車車両。
【発明の詳細な説明】
【技術分野】
【０００１】
本発明は、車載部材を車体パネルに固定するためのクリップとこれを備えた自動車車両に関する。
【背景技術】
【０００２】
一般に自動車車両において、内装材、ハーネス等の車載部材は、樹脂製のクリップを用いて車体パネルに固定される。この種のクリップは、車載部材を保持する保持部と、車体パネルに形成された取付孔を挿通する被取付部と、が一体に成形される（例えば、特許文献１参照）。被取付部は、車体パネルと略垂直な方向へ延び、車体パネルにおける車載部材と反対の面側で突出する一対の突出部を有する。各突出部は被取付部の内側へ弾性変形可能であり、各突出部を内側へ変形させることにより被取付部の車体パネルへの脱着が行われる。特許文献１には、被取付部の外面に切欠を設けておくと、クリップに引っ張り力が作用した際に、切欠形成部分が車体パネルの取付孔の周縁に引っ掛かり、クリップが取付孔から抜け出にくくなることが記載されている。
【先行技術文献】
【特許文献】
【０００３】
【特許文献１】特開２０１２−２０５４０３号公報
【発明の概要】
【発明が解決しようとする課題】
【０００４】
しかしながら、特許文献１に記載の切欠は、クリップが所期の固定位置で所期の姿勢の場合に、車体パネルに引っ掛かるよう形成されているので、引っ張り力によりクリップが傾倒してしまうと、切欠形成部分と車体パネルの位置がずれてしまい、クリップが取付孔から抜け出てしまうおそれがあった。
【０００５】
本発明は、前記事情に鑑みてなされたものであり、その目的とするところは、外部からの引っ張り力が作用しても、車体パネルの取付孔から抜け出ることのないクリップとこれを備えた自動車車両を提供することにある。
【課題を解決するための手段】
【０００６】
前記目的を達成するため、本発明によれば、車載部材を車体パネルに固定するためのクリップであって、前記車載部材を保持する保持部と、前記車体パネルに形成された取付孔を挿通し前記車体パネルと略垂直な方向へ延びる被取付部と、が一体に成形されたクリップ本体と、前記被取付部における前記車体パネルの前記車載部材と反対の面側に形成され、前記車体パネルの平面視にて前記取付孔の外側まで突出する一対の突出部と、前記被取付部における前記車体パネルの前記車載部材と反対の面側に形成され、前記平面視で周方向について前記各突出部の間に形成される少なくとも一つの凹部と、を備え、前記凹部は、一端が前記車体パネル側、他端が前記車体パネルと反対側となるように前記車体パネルに略垂直な方向へ延びるよう形成されるとともに、延在方向一端側に形成され、前記被取付部の外面から当該被取付部の内側へ傾斜して延在方向他端側へ向かって延びる傾斜面と、延在方向他端側に形成され、前記被取付部の外面から当該被取付部の内側へ向かって前記延在方向と略垂直な方向へ延びる車体パネル受け面と、を有するクリップが提供される。
【０００７】
このクリップによれば、外部から保持部に斜めの引っ張り力が作用すると、被取付部の各突出部が車体パネルと干渉することから、クリップは各突出部を支点として車体パネルに対して全体的に傾倒する。クリップが各突出部を支点として傾倒を開始すると、各突出部間に形成された凹部が、延在方向一端側から車体パネルの取付孔の周縁に接近していく。そして、車体パネルの取付孔の周縁は、傾斜面に案内されてスムースに凹部内へ進入していき、最終的に車体パネル受け面と接触する。このように、被取付部の凹部と車体パネルが干渉することにより、クリップは車体パネルの取付孔から抜け出ることはない。
【０００８】
上記クリップにおいて、前記凹部は、前記平面視にて、前記各突出部を結んだ仮想基準線の中点から当該仮想基準線に対して略垂直な方向に配置されてもよい。
【０００９】
このクリップによれば、外部から保持部に斜めの引っ張り力が作用した際に、被取付部の延在方向他端側は、凹部が配置されている方向へ傾倒するので、より確実に被取付部の凹部と車体パネルを干渉させることができる。
【００１０】
上記クリップにおいて、前記凹部は、前記傾斜面と前記車体パネル受け面の間に形成され、延在方向へ延びる内面を有してもよい。
【００１１】
このクリップによれば、傾倒時、車体パネルの取付孔の周縁は、傾斜面で凹部内に案内された後、さらに内面で延在方向他端側へ案内され、最終的に車体パネル受け面と接触する。
【００１２】
上記クリップにおいて、前記被取付部は、筒状に形成され、前記クリップ本体は、前記被取付部の前記凹部の周方向両側に隣接して延在方向へ延びるスリットを有し、前記凹部の前記内面の延在方向他端側は、前記傾斜面よりも幅方向寸法が小さく形成され、所定の引っ張り応力にて破断してもよい。
【００１３】
このクリップによれば、外部から保持部に斜めの引っ張り力が作用した際に、被取付部の凹部に引っ張り方向の応力が発生する。この応力が所定値を超えると、凹部の内面の延在方向他端側が破断し、前記車体パネル受け面と連続的な破断面が形成される。これにより、車体パネル受け面が実質的に拡大され、より確実に被取付部の凹部と車体パネルを干渉させることができる。
【００１４】
上記クリップにおいて、前記凹部の前記内面は、延在方向他端側へ向かって幅方向寸法が小さくなる寸法変化部と、前記寸法変化部の延在方向他端及び前記車体パネル受け面の内側方向端部と連続的に形成され、幅方向寸法が前記凹部の中で最も小さく、前記所定の引っ張り応力にて破断する脆弱部と、を有してもよい。
【００１５】
このクリップによれば、外部から保持部に斜めの引っ張り力が作用した際に、凹部の内面の延在方向他端側をより的確に破断させることができる。
【００１６】
上記クリップにおいて、前記クリップ本体の前記保持部の接続部分から、前記車載部材の所定部分まで延びる紐状のテザー部を備え、前記保持部の前記接続部分は、前記平面視にて前記仮想基準線で分割された領域のうち、前記凹部と同じ領域に配置されてもよい。
【００１７】
このクリップによれば、テザー部から保持部に斜めの引っ張り力が作用した際に、被取付部の凹部と車体パネルが干渉することにより、クリップが車体パネルの取付孔から抜け出ることはない。
【００１８】
また、本発明によれば、上記クリップと、前記クリップの前記保持部により保持される車載部材と、前記クリップの前記被取付部が取り付けられる車体パネルと、を備えた自動車車両が提供される。
【００１９】
上記自動車車両において、前記車載部材は内装材であり、前記車載部材と前記車体パネルの間に配置されたエアバッグ装置を備えてもよい。
【発明の効果】
【００２０】
本発明によれば、クリップに外部からの引っ張り力が作用しても、車体パネルの取付孔から抜け出ることはない。
【図面の簡単な説明】
【００２１】
【図１】本発明の一実施形態を示すものであり、内装部材の車体パネルへの取付状態を示す自動車車両の一部断面図である。
【図２】エアバッグ装置の袋体が展開した状態を示す自動車車両の一部断面図である。
【図３】クリップを示し、（ａ）が正面図、（ｂ）が側面図、（ｃ）が底面図である。
【図４】テザー部から引っ張り力が作用した際のクリップの動作を示す説明図であり、（ａ）が初期状態、（ｂ）が引っ張り力が作用している状態、（ｃ）が引っ張り力の作用が終了した状態である。
【発明を実施するための形態】
【００２２】
図１から図４は本発明の一実施形態を示すものであり、図１は内装部材の車体パネルへの取付状態を示す自動車車両の一部断面図、図２はエアバッグ装置の袋体が展開した状態を示す自動車車両の一部断面図、図３（ａ）はクリップの正面図、図３（ｂ）はクリップの側面図、図３（ｃ）はクリップの底面図、である。また、図４はテザー部から引っ張り力が作用した際のクリップの動作を示す説明図であり、（ａ）が初期状態、（ｂ）が引っ張り力が作用している状態、（ｃ）が引っ張り力の作用が終了した状態である。
【００２３】
図１に示すように、この自動車車両は金属製の車体１を有し、車体１は、室外側のアウタパネル１０と、アウタパネル１０とともに閉断面をなす室内側のインナパネル１１と、アウタパネル１０及びインナパネル１１の間に配置され当該閉断面を分割するリンフォースパネル１２と、を含んでいる。本実施形態においては、車体１として、ドア開口部の一部をなし、略上下へ延びるピラー部分を例示している。
【００２４】
図１に示すように、この自動車車両は樹脂製の内装材２を有し、内装材２は、インナパネル１１の室内側に配置されるパネル状のトリム本体２０と、トリム本体２０のインナパネル１１側の面に突出形成された被保持部２１と、を含んでいる。被保持部２１は、トリム本体２０から最も離隔した位置に、トリム本体２０のインナパネル１１側の面と略平行に形成された被保持板部２２を有する。
【００２５】
また、この自動車車両は、車載部材としての内装材２を、インナパネル１１に固定する樹脂製のクリップ３を有する。クリップ３は、インナパネル１１及び被保持板部２２と略垂直な方向へ延びるクリップ本体３０と、クリップ本体３０と一体に成形され先端がトリム本体２０と接続された紐状のテザー部４０と、を有する。
【００２６】
さらに、この自動車車両は、車体１と内装材２の間に、エアバッグ装置５が配置される。図２に示すように、エアバッグ装置５が作動して袋体５０が展開すると、当該袋体５０に押されて内装材２は車体１から離れる方向へ移動する。このとき、クリップ３のテザー部４０が伸びきって、インナパネル１１に対する内装材２の姿勢が制御される。
【００２７】
図３（ａ）及び図３（ｂ）に示すように、クリップ本体３０は、延在方向一端側に形成され内装材２を保持する保持部３１と、延在方向他端側に形成されインナパネル１１に取り付けられる被取付部３２と、保持部３１と被取付部３２とを接続する接続部３３と、が一体的に形成される。保持部３１がトリム本体２０の被保持板部２２に形成されたトリム側挿通孔２３を挿通し、被取付部３２がインナパネル１１に形成された車体側取付孔１３を挿通する。保持部３１、被取付部３２及び接続部３３の形状は任意であるが、本実施形態においては、保持部３１、被取付部３２及び接続部３３はそれぞれ円筒状に形成される。保持部３１の延在方向他端には、保持部３１の他の部分より断面形状が拡大されトリム本体２０の被保持板部２２と当接するトリム側当接部３４が形成される。被取付部３２の延在方向一端には、被取付部３２の他の部分より断面形状が拡大されインナパネル１１と当接する車体側当接部３５が形成される。
【００２８】
保持部３１の外周にはトリム本体２０の被保持板部２２が嵌め込まれる切欠３６が形成される。また、被取付部３２の外周には一対の突出部３７が形成される。各突出部３７は、被取付部３２の内側へ押圧されると弾性変形する。各突出部３７は、被取付部３２におけるインナパネル１１の内装材２と反対の面側に形成され、インナパネル１１の平面視にて車体側取付孔１３の外側まで突出する。各車体側係止部３７を内側方向へ変形させると、被取付部３２が車体側取付孔１３を挿通可能な状態となる。
【００２９】
また、被取付部３２におけるインナパネル１１の内装材２と反対の面側に、被取付部３２の内側へ凹んだ凹部３８が形成される。図３（ｃ）に示すように、凹部３８は、インナパネル１１の平面視で周方向について各突出部３７の間に形成される。本実施形態においては、凹部３８は、インナパネル１１の平面視にて、各突出部３７を通る仮想基準線Ａの各突出部３７の中点Ｂから当該仮想基準線Ａに対して略垂直な方向に配置される。凹部３８は、一端がインナパネル１１側、他端がインナパネル１１と反対側となるようにインナパネル１１に略垂直な方向へ延びるよう形成される。
【００３０】
具体的に、凹部３８は、延在方向一端側に形成され、被取付部３２の外面から被取付部３２の内側へ傾斜して延在方向他端側へ向かって延びる傾斜面３８ａと、延在方向他端側に形成され、被取付部３２の外面から当該被取付部３２の内側へ向かって延在方向と略垂直な方向へ延びる車体パネル受け面３８ｂと、傾斜面３８ａと車体パネル受け面３８ｂの間に形成され延在方向へ延びる内面３８ｃと、を有する。
【００３１】
また、被取付部３２には、凹部３８の周方向両側に隣接し、延在方向へ延びる一対のスリット３９が形成される。各スリット３９は、凹部３８の延在方向一端よりもインナパネル１１寄りの位置から、凹部３８の延在方向他端まで延びる。各スリット３９は、延在方向他端側にて、他の部分よりも幅が広くなるよう形成される。本実施形態においては、凹部３８の内面３８ｃの延在方向他端側は、傾斜面３８ａよりも幅方向寸法が小さく形成され、所定の引っ張り応力にて破断する。より具体的には、内面３８ｃは、延在方向他端側へ向かって幅方向寸法が小さくなる寸法変化部３８ｃ１と、寸法変化部３８ｃ１の延在方向他端及び車体パネル受け面３８ｂの内側方向端部と連続的に形成され、幅方向寸法が凹部３８の中で最も小さく、所定の引っ張り応力にて破断する脆弱部３８ｃ２と、を有している。
【００３２】
図１に示すように、テザー部４０は、クリップ本体３０の保持部３１の接続部分から、内装材２の所定部分まで延びる。図３（ｃ）に示すように、保持部３１の接続部分は、インナパネル１１の平面視にて、仮想基準線Ａで分割された領域のうち、凹部３８と同じ領域に配置される。本実施形態においては、テザー部４０は、保持部３１のトリム側当接部３４から延び、トリム本体２０に形成されたテザー接続部２４に接続される。テザー部４０の長さは、エアバッグ装置５の袋体５０の展開時に、トリム本体２０をインナパネル１１から離間させる距離に応じて設定される。
【００３３】
以上のように構成された自動車車両では、図２に示すように、エアバッグ装置５の袋体５０が展開すると、トリム本体２０がインナパネル１１から離れる方向へ移動し、テザー部４０が伸びきった状態となる。このとき、テザー部４０が斜め方向へ引っ張られることにより、クリップ３は、図４（ａ）に示すような無負荷の状態から、図４（ｂ）に示すような保持部３１に斜めの引っ張り力が作用する状態へ変化する。ここで、被取付部３２の各突出部３７が車体パネルと干渉することから、クリップ３は各突出部３７を支点としてインナパネル１１に対して全体的に傾倒する。
【００３４】
クリップ３が各突出部３７を支点として傾倒を開始すると、各突出部間３７に形成された凹部３８が、延在方向一端側からインナパネル１１の車体側取付孔１３の周縁に接近していく。そして、インナパネル１１の車体側取付孔１３の周縁は、傾斜面３８ａに案内されてスムースに凹部３８内へ進入していき、さらに内面３８ｃで延在方向他端側へ案内された後、最終的に車体パネル受け面３８ｂと接触する。このように、被取付部３２の凹部３８とインナパネル１１が干渉することにより、クリップ３はインナパネル１１の車体側取付孔１３から抜け出ることはない。本実施形態においては、被取付部３２の延在方向他端側は、凹部３８が配置されている方向へ傾倒するので、より確実に被取付部３２の凹部３８とインナパネル１１を干渉させることができる。
【００３５】
また、本実施形態のクリップ３によれば、テザー部４０から保持部３１に斜めの引っ張り力が作用した際に、被取付部３２の凹部３８に引っ張り方向の応力が発生する。この応力が所定値を超えると、凹部３８の内面３８ｃの延在方向他端側が破断し、図４（ｂ）示すように車体パネル受け面３８ｂと連続的な破断面３８ｄが形成される。これにより、車体パネル受け面３８ｂが実質的に拡大され、より確実に被取付部３２の凹部３８とインナパネル１１を干渉させることができる。本実施形態においては、凹部３８の中で幅方向寸法が最も小さい脆弱部３８ｃ２が車体パネル受け面３８ｂと隣接して形成されているので、凹部３８の内面３８ｃの延在方向他端側をより的確に破断させることができる。
【００３６】
そして、エアバッグ装置５の所期動作が終了し、袋体５０からトリム本体２０への荷重がなくなると、クリップ本体３０のテザー部４０側に延在方向について引っ張り方向の応力もなくなり、図４（ｃ）に示すように脆弱部３８ｂ２は初期の位置に復帰する。このとき、破断面３８ｄは復帰した脆弱部３８ｂ２により覆われてしまうものの、依然として垂直面３８ｃが車体側取付孔１３の周縁に引っ掛かった状態となる。従って、エアバッグ装置５の動作終了後もクリップ３が車体側取付孔１３から抜け出ることはない。
【００３７】
尚、前記実施形態においては、内装材２を保持するクリップ３を示したが、例えばハーネス類を保持するものであってもよく、内装材２以外の車載部材を保持するクリップにも本発明を適用可能であることは勿論である。
【００３８】
また、前記実施形態においては、傾斜面３８ａと車体受け面３８ｂの間に内面３８ｃを有する凹部３８を示したが、内面３８ｃを介することなく傾斜面３８ａと車体受け面３８ｂが連続的に形成されていてもよい。また、被取付部３２に凹部３８を１ヶ所形成したものを示したが、２ヶ所以上形成してもよいし、凹部３８の形成位置についても適宜変更することが可能である。
【００３９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００４０】
１  車体
２  内装材
３  クリップ
５  エアバッグ装置
１０  アウタパネル
１１  インナパネル
１２  リンフォースパネル
１３  車体側取付孔
２０  トリム本体
２１  被保持部
２２  被保持板部
２３  トリム側挿通孔
２４  テザー接続部
３０  クリップ本体
３１  保持部
３２  被取付部
３３  接続部
３４  トリム側当接部
３５  車体側当接部
３６  切欠
３７  突出部
３８  凹部
３８ａ 傾斜面
３８ｂ 車体受け面
３８ｃ 内面
３８ｃ１ 寸法変化部
３８ｃ２ 脆弱部
３９  スリット
４０  テザー部
５０  袋体
Ａ  仮想基準線
Ｂ  中点
【図１】
2018013147.tif 000003
【図２】
2018013147.tif 000004
【図３】
2018013147.tif 000005
【図４】
2018013147.tif 000006